(57)【特許請求の範囲】
【請求項１】
清掃用部材が固定された基部と、この基部に設けられた支持部と、この支持部に係脱可能に連結される可撓性を有する二股の連結部を有する把持部と、前記連結部が支持部から外れる方向に撓むのを規制する第１の位置と連結部が支持部から外れる方向に撓むのを許す第２の位置とを採り得る規制部材とを備え，前記規制部材は、前記第１の位置にあるとき、前記二股の連結部が支持部から外れる方向に撓むのを、支持部と連結部との連結箇所直近で規制することを特徴とする清掃用具。
【請求項２】
前記支持部は前記基部に一対設けられているとともに、前記二股の連結部はその分岐部分同士の間隔を狭めることによって支持部から外される構成であり、前記規制部材は、前記分岐部分同士の間隔を狭めるのを規制する第１の位置と、規制しない第２の位置とを採り得ることを特徴とする請求項１記載の清掃用具。
【請求項３】
前記規制部材が前記第２の位置にあるとき、前記把持部における連結部の近傍部分が前記基部から離間することを特徴とする請求項１または２記載の清掃用具。
【発明の詳細な説明】
【０００１】
【発明の属する技術分野】
本発明は清掃用具に関する。特に、省資源化を図ることのできる清掃用具に関するものである。
【０００２】
【従来の技術】
図７は従来の清掃用具を示す正面図である。
【０００３】
図７において、３０はポリウレタンフォーム等の素材よりなる清掃用部材、３１はこの清掃用部材３０の上面に接着剤等により固定された合成樹脂製の棒状の把持部である。
【０００４】
このような清掃用具は、清掃用部材３０に洗剤等を含ませ、把持部３１を握って清掃用部材３０を浴槽やタイル等の清掃面に擦り付けて使用する。
【０００５】
【発明が解決しようとする課題】
上述した従来の清掃用具は、清掃用部材３０と把持部３１とが接着剤等により固定されていたので、使用により、清掃用部材３０が劣化した場合には、把持部３１ごと新しいものに交換しなければならなかった。
【０００６】
このため、把持部３１を再利用することができず、省資源化を図ることができないという問題があった。
【０００７】
本発明の目的は、以上のような問題点を解決し、把持部を再利用することができ、省資源化を図ることのできる清掃用具を提供することにある。
【０００８】
【課題を解決するための手段】
上記目的を達成するために請求項１記載の清掃用具は、清掃用部材が固定された基部と、この基部に設けられた支持部と、この支持部に係脱可能に連結される可撓性を有する二股の連結部を有する把持部と、前記連結部が支持部から外れる方向に撓むのを規制する第１の位置と連結部が支持部から外れる方向に撓むのを許す第２の位置とを採り得る規制部材とを備え，前記規制部材は、前記第１の位置にあるとき、前記二股の連結部が支持部から外れる方向に撓むのを、支持部と連結部との連結箇所直近で規制することを特徴とする。
【００１０】
請求項２記載の清掃用具は、請求項１記載の清掃用具において、前記支持部は前記基部に一対設けられているとともに、前記二股の連結部はその分岐部分同士の間隔を狭めることによって支持部から外される構成であり、前記規制部材は、前記分岐部分同士の間隔を狭めるのを規制する第１の位置と、規制しない第２の位置とを採り得ることを特徴とする。
請求項３記載の清掃用具は、請求項１または２記載の清掃用具において、前記規制部材が前記第２の位置にあるとき、前記把持部における連結部の近傍部分が前記基部から離間することを特徴とする。
【００１１】
【作用効果】
請求項１記載の清掃用具によれば、清掃用部材が固定された基部には支持部が設けられており、把持部はこの支持部に係脱可能に連結される可撓性を有する二股の連結部を有しているので、この二股の連結部を支持部に係脱させることにより、把持部に対して清掃用部材を取り付けあるいは取り外しすることができる。
【００１２】
すなわち、使用により清掃用部材が劣化した場合には、これを把持部より取り外して新しい清掃用部材と交換することができ、把持部を再利用することができる。
【００１３】
したがって、従来のように、清掃用具全体を新しいものに交換する必要がなくなり、省資源化を図ることができるという効果が得られる。
【００１４】
しかも、この清掃用具によれば、連結部が支持部から外れる方向に撓むのを規制する第１の位置と連結部が支持部から外れる方向に撓むのを許す第２の位置とを採り得る規制部材が設けられているので、次のような作用効果が得られる。
【００１５】
清掃用部材を把持部に取り付ける際には、把持部の二股の連結部を清掃用部材の基部の支持部に連結して、規制部材の位置を、連結部が支持部から外れる方向に撓むのを規制する第１の位置にする。これにより、連結部が支持部から外れなくなり、清掃用部材を把持部に取り付けることができる。
【００１６】
清掃用部材を把持部から取り外す際には、規制部材の位置を、連結部が支持部から外れる方向に撓むのを許す第２の位置にする。これにより、連結部を支持部から外すことが可能となり、清掃用部材を交換することができる。
【００１７】
このように、規制部材の位置を第１の位置あるいは第２の位置にするという簡単な操作で、清掃用部材を把持部に対して固定、あるいは取り外し可能にすることができるという効果が得られる。
【００１８】
なお、数種類の清掃用部材を用意しておくことにより、清掃する場所に合わせて清掃用部材を種々付け替えて使用することもできる。
【００１９】
さらに，請求項１記載の清掃用具によれば、規制部材は、第１の位置にあるとき、二股の連結部が支持部から外れる方向に撓むのを、支持部と連結部との連結箇所直近で規制するので、支持部から連結部が外れるのを効果的に防止することができる。
【００２０】
したがって、清掃用部材の外れにくい清掃用具が得られる。
【００２１】
請求項２記載の清掃用具によれば、請求項１記載の清掃用具において、支持部は基部に一対設けられているとともに、二股の連結部はその分岐部分同士の間隔を狭めることによって支持部から外される構成であり、規制部材は、分岐部分同士の間隔を狭めるのを規制する第１の位置と、規制しない第２の位置とを採り得る構成であるので、分岐部分の内側に規制部材を配置することができ、支持部と連結部との連結箇所直近に規制部材を配置することが容易になる。
したがって、連結部から分岐部分が外れるのを連結部直近で確実に規制することができるようになる。
仮に、連結部が、分岐部分同士の間隔を広げることによって支持部から外されるように構成され、規制部材が分岐部分同士の間隔を広げるのを規制する第１の位置と、規制しない第２の位置とを取り得るものであるとすると、分岐部分の外側に規制部材を配置しなければならなくなり、支持部に対して規制部材が干渉しやすくなる。このため、規制部材を連結箇所直近に配置することが難しくなる。
これに対して、請求項２記載の清掃用具によれば、連結箇所直近に規制部材を容易に配置することができるようになるので、請求項１記載の清掃用具による作用の説明で述べたように、支持部から連結部が外れるのを効果的に防止することができることとなる。したがって、清掃用部材の外れにくい清掃用具が容易に得られる。
【００２２】
請求項３記載の清掃用具によれば、請求項１または２記載の清掃用具において、規制部材が第２の位置にあるとき、把持部における連結部の近傍部分が基部から離間するようになっているので、清掃用部材の交換時に規制部材を第２の位置にすることにより、連結部の近傍部分を基部から離間させることができ、連結部を掴みやすくすることができる。
したがって、請求項３記載の清掃用具によれば、清掃用部材の交換作業が行ないやすくなるという効果が得られる。
【００２３】
【発明の実施の形態】
以下、本発明の実施の形態について図面を参照して説明する。
【００２４】
＜第１の実施の形態＞
図１は本発明に係る清掃用具の第１の実施の形態を示す図であり、（ａ）は平面図、（ｂ）は正面図、（ｃ）は左側面図、（ｄ）は右側面図である。
【００２５】
これらの図において、本実施の形態の清掃用具は、清掃用部材２が固定された基部１と、この基部１の上面に設けられた一対の支持部３ａ，３ｂと、この一対の支持部３ａ，３ｂに係脱可能に連結される可撓性を備えた二股の連結部４を有する把持部５と、二股の連結部４に設けられた規制部材としてのストッパ６とを備えている。
【００２６】
基部１は、ＡＢＳ樹脂等の硬質の素材により板状に形成されており、図１（ａ）に示すように、平面視で左右両側部分１ａ，１ｂが丸くカットされた形状となっている。基部１の下部には、ポリウレタンフォーム等よりなる清掃用部材２が接着剤等により固定されている。清掃用部材２は、平面視で前後左右とも基部１よりも寸法が大きく形成されており、基部１と同様に左右両側部分２ａ，２ｂが丸くカットされている。清掃用部材２は、図１（ｂ）〜（ｄ）に示すように、２層構造となっており、下層２ｃが上層２ｄよりも硬質の材料により形成されている。
【００２７】
一対の支持部３ａ，３ｂは、基部１の上面にそれぞれ一体的に立設されており、図１（ａ）に示すように、中央部分に孔３ａ１，３ｂ１が設けられている。一対の支持部３ａ，３ｂの左右部分３ａ２，３ｂ２は、基部１の左右方向（図１（ａ）中矢印Ａ方向）に長く形成されており、かつ、図１（ｂ）に示すように、基部１の上面１ｃよりも一段高くなっている。
【００２８】
把持部５はポリプロピレン等の素材により棒状に形成されており、その一端部５ａに可撓性を備えた二股の連結部４が形成されている。
【００２９】
把持部５は、図１（ａ），図２（ａ）に示すように、連結部４の分岐部分４ａ，４ｂの先端に設けられたテーパ状の突起４ａ１，４ｂ１が前記一対の支持部３ａ，３ｂの孔３ａ１，３ｂ１に内側から突っ張るようにして係合することによって、一対の支持部３ａ，３ｂに回動可能に連結されており、また、その分岐部分４ａ，４ｂ同士の間隔Ｌ（図２（ａ）参照）を狭める方向（図中矢印Ｃ１，Ｃ１方向）に撓ませることによって、一対の支持部３ａ，３ｂから外されるようになっている。
【００３０】
ストッパ６は、ＡＢＳ樹脂製であり、図１（ａ）に示すように、平面視で連結部４の切欠部４Ａにすっぽり入り込む形状に形成されている。ストッパ６は、図３（ａ）に示すように、その両側に設けられた軸６ａ，６ｂが上述した連結部４の分岐部分４ａ，４ｂの内側面に形成された穴４ａ３，４ｂ３（図２各図参照）にそれぞれ係合することによって、連結部４に対して図２（ｂ）中矢印Ｂ１，Ｂ２方向に回動可能に取り付けられている。このようなストッパ６は、同図に一点鎖線で示すように、二股の連結部４に入り込んだ状態となる第１の位置と、同じく二点鎖線で示すように、二股の連結部４に対して正面視でほぼ直角に起き上がった状態となる第２の位置とを採り得るようになっている。
このようなストッパ６は、上述した第１の位置にあるとき、分岐部分４ａ，４ｂが図２（ａ）中矢印Ｃ１，Ｃ１方向に撓むのを、支持部３ａ，３ｂと分岐部分４ａ，４ｂとの連結箇所の直近Ｒ（図１（ａ）参照）で規制するようになっており、第２の位置にあるとき、分岐部分４ａ，４ｂが図２（ａ）中矢印Ｃ１，Ｃ１方向に撓むのを許すようになっている。
図２（ｂ）の二点鎖線で示すように、ストッパ６が第２の位置にあるとき、その他端部６ｄは、連結部４の下方に突出するようになっており、図４（ａ）（ｂ）に示すように、後に説明する清掃用部材２の交換時に、基部１の上面を押圧して連結部４の近傍部分４ｅを基部１から離間させるようになっている。
【００３１】
図３（ａ）（ｃ）に示すように、ストッパ６の一端部６ｃの両側には、リブ６ａ４，６ｂ４が設けられている。このリブ６ａ４，６ｂ４は上述した分岐部分４ａ，４ｂの先端部内側に形成された段部４ａ４，４ｂ４（図２（ａ）（ｃ）参照）に係合するようになっている。
ストッパ６の図２（ｂ）中矢印Ｂ２方向への回動は、分岐部分４ａ，４ｂの内側面に設けられた規制突部４ａ５，４ｂ５（図２（ａ）（ｃ）参照）によって規制されており、本実施の形態では、ストッパ６がこの規制突部４ａ５，４ｂ５に当接した状態で、前記リブ６ａ４，６ｂ４（図３各図参照）が分岐部分４ａ，４ｂの段部４ａ４，４ｂ４にクリック感をもって係合するようになっている。なお、ストッパ６の一端部６ｃには指掛け用の段部６ｆが形成されている。
【００３２】
把持部５は、図１各図に示すように、その他端部５ｂの握り手部５ｃが、握りやすいように太く形成されている。
【００３３】
次に、清掃用部材２を把持部５に取り付ける際の手順を説明する。
【００３４】
まず、ストッパ６を図２（ｂ）中矢印Ｂ１方向に回動させて、図中二点鎖線で示すように第２の位置に起こした状態にする。次に、分岐部分４ａ，４ｂを掴み、図２（ａ）中矢印Ｃ１，Ｃ１方向に撓ませたまま、これを一対の支持部３ａ，３ｂ間に挿入する。その後、支持部３ａ，３ｂの孔３ａ１，３ｂ１に分岐部分４ａ，４ｂの突起４ａ１，４ｂ１を合わせて指の力を緩める。すると、分岐部分４ａ，４ｂの復元力により、突起４ａ１，４ｂ１が孔３ａ１，３ｂ１に係合する。その後、ストッパ６を図２（ｂ）中矢印Ｂ２方向に回動させて、第１の位置に倒す。
【００３５】
これにより、清掃用部材２を把持部５に取り付けることができる。
【００３６】
清掃用部材２を把持部５から取り外す際には、まず、ストッパ６の段部６ｆに指を掛けて、ストッパ６を図２（ｂ）中矢印Ｂ１方向に回動させて第２の位置に起こす。この際、ストッパ６を第２の位置あるいは第２の位置の近傍まで回動させると、図４（ａ）（ｂ）に示すように、ストッパ６の他端部６ｄが連結部４の下方に突出し、基部１を押圧する。これにより、連結部４の近傍部分４ｅが基部１から離間することとなる。
【００３７】
次に、分岐部分４ａ，４ｂを掴んで分岐部分４ａ，４ｂ同士の間隔を狭める方向（図２（ａ）中矢印Ｃ１，Ｃ１方向）に撓ませ、支持部３ａ，３ｂの孔３ａ１，３ｂ１から分岐部分４ａ，４ｂの突起４ａ１，４ｂ１を外す。
【００３８】
これにより、清掃用部材２を把持部５から取り外すことができる。
【００３９】
なお、支持部３ａ，３ｂの左右部分３ａ２，３ｂ２は、基部１の左右方向（図１（ａ）中矢印Ａ方向）に長く形成されており、かつ、基部１の上面１ｃよりも一段高くなっているので、孔３ａ１，３ｂ１に突起４ａ１，４ｂ１を係合させる際のガイドとしての役割をなすようになっている。また、突起４ａ１，４ｂ１は図２（ａ）に示すようにテーパ状に形成されているので、支持部３ａ，３ｂの孔３ａ１，３ｂ１に対して挿入しやすくなっている。
【００４０】
以上のような構成を有する清掃用具によれば、清掃用部材２が固定された基部１には支持部３ａ，３ｂが設けられており、把持部５はこの支持部３ａ，３ｂに係脱可能に連結される可撓性を有する二股の連結部４を有しているので、この二股の連結部４を支持部３ａ，３ｂに係脱させることにより、把持部５に対して清掃用部材２を取り付けあるいは取り外しすることができる。
【００４１】
すなわち、使用により清掃用部材２が劣化した場合には、把持部５より清掃用部材２を取り外して新しい清掃用部材２と交換することができ、把持部５を再利用することができる。
【００４２】
したがって、本実施の形態の清掃用具によれば、従来のように、清掃用具全体を新しいものに交換する必要がなくなり、省資源化を図ることができるという効果が得られる。
【００４３】
なお、数種類の清掃用部材２、例えば、タイル面に対してはブラシ状のもの、ステンレス面に対してはウレタンを用いたもの、ポリウレタン面に対しては不織布等を用いたもの等を用意しておくことにより、清掃する場所に合わせて清掃用部材２を付け替えて使用することもできる。
【００４４】
ストッパ６は、図１（ａ）に示すように、第１の位置にあるとき、連結部４の分岐部分４ａ，４ｂが支持部３ａ，３ｂから外れる方向に撓むのを、支持部３ａ，３ｂと分岐部分４ａ，４ｂとの連結箇所の直近Ｒで規制する。したがって、連結部４を支持部３ａ，３ｂへ連結した後にストッパ６を第１の位置にすると、分岐部分４ａ，４ｂは、その間隔Ｌが狭まる方向すなわち支持部３ａ，３ｂから外れる方向に撓むことが確実に阻止されることとなる。結果として、一対の支持部３ａ，３ｂに対して分岐部分４ａ，４ｂが取り外し不能に支持されることとなる。
【００４５】
さらに、本実施の形態の清掃用具によれば、ストッパ６が第２の位置にあるとき、ストッパ６の他端部６ｄが基部１の上面を押圧して、連結部４の近傍部分４ｅが基部１から離間するようになっているので、清掃用部材２の交換時にストッパ６を第２の位置にすると、連結部４の近傍部分４ｅが基部１から自動的に離間することとなり、連結部４を掴みやすくすることができる。
【００４６】
したがって、清掃用部材２の交換作業が行ないやすくなるという効果が得られる。
【００４７】
＜第２の実施の形態＞
図５は本発明に係る清掃用具の第２の実施の形態を示す図で、（ａ）は平面図、（ｂ）は正面図、（ｃ）は要部の拡大斜視図である。
【００４８】
本実施の形態が前記第１の実施の形態と異なる点は、ストッパ１６を連結部１４の分岐部分１４ａ，１４ｂに対してスライド可能に構成した点にある。
【００４９】
図５（ａ）（ｂ）に示すように、基部１０とこの基部１０に固定される清掃用部材１１とは、いずれも平面視で楕円形に形成されている。把持部１２は、ポリプロピレン等の素材により形成されており、本実施の形態では、平面視、正面視で略直線形状としてある。把持部１２は、連結部１４の分岐部分１４ａ，１４ｂに形成された突起１４ａ１，１４ｂ１が支持部１３ａ，１３ｂの孔１３ａ１，１３ｂ１に係合することによって、清掃用部材１１に回動可能に支持されている。
【００５０】
図５（ｃ）に示すように、ストッパ１６は、その両側部１６ａ，１６ｂに設けられた溝１６ａ１，１６ｂ１が、分岐部分１４ａ，１４ｂの内側面の左右方向に亘って形成されたレール１４ａ２，１４ｂ２に対してスライド可能に係合するようになっており、左右方向（図中矢印Ｄ１，Ｄ２方向）にスライド可能となっている。
【００５１】
ストッパ１６は、図５（ａ）に示すように、分岐部分１４ａ，１４ｂの一端部１４ｃ（支持部１３ａ，１３ｂとの連結箇所の直近Ｒであり、第１の位置）に位置するとき、分岐部分１４ａ，１４ｂが図５（ａ）中矢印Ｃ１，Ｃ１方向に撓むのを規制するようになっている。また、図中一点鎖線で示すように、分岐部分１４ａ，１４ｂの他端部１４ｄ（第２の位置）に位置するときに、分岐部分１４ａ，１４ｂが図５（ａ）中矢印Ｃ１，Ｃ１方向に撓むのを許すようになっている。
【００５２】
清掃用部材１１を把持部１２に取り付けるには、まず、ストッパ１６を分岐部分１４ａ，１４ｂの他端部１４ｄ（第２の位置）にスライドさせて、連結部１４の分岐部分１４ａ，１４ｂを掴み、矢印Ｃ１，Ｃ１方向に撓ませる。次に、この撓ませた状態の連結部１４を支持部１３ａ，１３ｂの間に挿入して、突起１４ａ１，１４ｂ１を支持部１３ａ，１３ｂの孔１３ａ１，１３ｂ１に合わせて指の力を緩め、突起１４ａ１，１４ｂ１を孔１３ａ１，１３ｂ１に係合させる。その後、ストッパ１６を図５（ａ）中矢印Ｄ１方向にスライドさせて第１の位置に移動し、分岐部分１４ａ，１４ｂが図中矢印Ｃ１，Ｃ１方向へ撓むのを阻止する。これにより、清掃用部材１１が把持部１２に取り付けられる。
【００５３】
清掃用部材１１を把持部１２から取り外すには、ストッパ１６を第２の位置にスライド（矢印Ｄ２方向にスライド）させた後、分岐部分１４ａ，１４ｂを図５（ａ）中矢印Ｃ１，Ｃ１方向に撓ませてその間隔を狭めることにより行なうことができる。
【００５４】
なお、本実施の形態では、把持部１２に対して取り付け取り外し可能な、部分清掃用のブラシ１５が設けられている。
【００５５】
上述した本実施の形態の清掃用具によれば、ストッパ１６をスライドさせるという簡単な操作で、清掃用部材１１を交換することができるという作用効果が得られる。
【００５６】
なお、図５（ｂ）中一点鎖線で示すように、清掃用部材１７が本実施の形態のものよりも大きなものである場合には、その基部１８におけるストッパ１６の第２の位置に干渉する部位に、図中点線で示すような隆起部１９を設けても良い。
【００５７】
このような隆起部１９を設けると、ストッパ１６を第２の位置にスライドさせた際に、ストッパ１６が隆起部１９に当接して基部１８を押圧することとなるので、連結部１４の近傍部分１４ｅが基部１８から離間することとなる。
【００５８】
したがって、このような隆起部１９を設けた清掃用具によれば、清掃用部材１７の交換時に連結部１４を掴みやすくすることができ、清掃用部材１７の交換作業を行ないやすくすることができるという効果が得られる。
【００５９】
＜第３の実施の形態＞
図６は本発明に係る清掃用具の第３の実施の形態を示す図で、（ａ）は平面図、（ｂ）は正面図、（ｃ）はストッパの側面図である。
【００６０】
本実施の形態が前記第１，第２の実施の形態と異なるところは、基部２０の支持部２３を両側から挟み込むようにして把持部２２の連結部２４の分岐部分２４ａ，２４ｂが連結されている点にある。
【００６１】
図６（ａ）（ｂ）に示すように、基部２０とこの基部２０に固定される清掃用部材２１とは、いずれも平面視で円形に形成されている。把持部２２は、ポリプロピレン等の素材により形成されており、本実施の形態では、平面視、正面視で略直線形状となっている。把持部２２は、連結部２４の分岐部分２４ａ，２４ｂの先端部内側同士に形成された突起２４ａ１，２４ｂ１が支持部２３の貫通孔２３ａに係合することによって、清掃用部材２１に回動可能に支持されている。
【００６２】
把持部２２には取り付け取り外し可能な、部分清掃用のブラシ２５が設けられている。
【００６３】
分岐部分２４ａ，２４ｂには、図６（ｃ）に示すように、側面視環状のストッパ２６が図６（ａ）中矢印Ｄ１，Ｄ２方向にスライド可能に取り付けられている。
【００６４】
ストッパ２６は、図６（ａ）中一点鎖線で示すように、分岐部分２４ａ，２４ｂの一端部２４ｃ（第１の位置）に位置するとき、分岐部分２４ａ，２４ｂが図６（ａ）中矢印Ｅ１，Ｅ１方向に撓んで広がるのを規制するようになっており、また、図中点線で示すように、分岐部分２４ａ，２４ｂの他端部２４ｄ（第２の位置）に位置するときに、分岐部分２４ａ，２４ｂが図６（ａ）中矢印Ｅ１，Ｅ１方向に撓んで広がるのを許すようになっている。
【００６５】
このような清掃用具において、清掃用部材２１を把持部２２に取り付けるには、まず、ストッパ２６を第２の位置にスライドさせておいてから、分岐部分２４ａ，２４ｂを図６（ａ）中矢印Ｅ１，Ｅ１方向に撓ませて広げ、その突起２４ａ１，２４ｂ１を支持部２３の貫通孔２３ａに係合させる。次に、ストッパ２６を第１の位置にスライドさせて、分岐部分２４ａ，２４ｂが図６（ａ）中矢印Ｅ１，Ｅ１方向に広がるのを阻止する。これにより、清掃用部材２１を把持部２２に取り付けることができる。
【００６６】
また、清掃用部材２１を把持部２２から取り外すには、ストッパ２６を上述した第２の位置にスライドさせておいてから、分岐部分２４ａ，２４ｂを図６（ａ）中矢印Ｅ１，Ｅ１方向に撓ませて広げ、突起２４ａ１，２４ｂ１を支持部２３の貫通孔２３ａから外す。これにより、清掃用部材２１を把持部２２から取り外すことができる。
【００６７】
上述した本実施の形態の清掃用具によれば、ストッパ２６をスライドさせるという簡単な操作で、清掃用部材２１を交換することができるという作用効果が得られる。
なお、本実施の形態の清掃用具は、分岐部分２４ａ，２４ｂ同士の間隔が広がるのをストッパ２６で規制する構成であり、そのストッパ２６が支持部２３と干渉する形状であるため、分岐部分２４ａ，２４ｂの先端部分（支持部２３と連結部２４との連結箇所の直近）までストッパ２６をスライドさせることができない。このため、使用中把持部２２に矢印Ｆ１またはＦ２方向の大きな力が作用すると、その影響で分岐部分２４ａ，２４ｂが矢印Ｅ１方向に開きやすくなる。したがって、使用時に上記強い力Ｆ１またはＦ２が繰り返し作用すると、ストッパ２６が第１の位置から図中矢印Ｄ２方向に徐々にずれて行き、分岐部分２４ａ、２４ｂが支持部２３から外れるおそれがある。
このような問題を解決するためには、支持部２３を逃がすための切欠き等の逃げ部をストッパ２６に形成して、ストッパ２６が分岐部分２４ａ，２４ｂの先端部分すなわち支持部２３との連結箇所直近までスライドできるように構成することが考えられる。しかしながら、そうすると、ストッパ２６の強度が低下し、分岐部分２４ａ，２４ｂに対する規制が不十分となるおそれがあるので望ましくない。
これに対して、前記第１，第２の実施の形態の清掃用具は、第１の実施の形態の清掃用具を例にとって説明すると、分岐部分４ａ，４ｂ同士の間隔が狭まるのをストッパ６で規制する構成となっており、ストッパ６を第１の位置にしたとき、ストッパ６が支持部３ａ，３ｂと分岐部分４ａ，４ｂとの連結箇所の直近Ｒに配置されるようになっているので、一対の支持部３ａ，３ｂから連結部４の分岐部分４ａ，４ｂが外れるのを連結箇所の直近Ｒで効果的に防止することができる。
したがって、前記第１，第２の実施の形態の清掃用具によれば、使用時に上記強い力Ｆ１またはＦ２が繰り返し作用したような場合でも、清掃用部材２が外れにくく、第３の実施の形態の清掃用具に比べて頑丈で使い易いという効果が得られる。
なお、前記第１の実施の形態の清掃用具は、ストッパ６が連結部４の切欠部４Ａにすっぽり入り込む形状となっているので、一層頑丈である。
【００６８】
以上、本発明の実施の形態について説明したが、本発明は上記実施の形態に限定されるものではなく、本発明の要旨の範囲内において適宜変形実施可能である。
【００６９】
例えば、清掃用部材、把持部の素材や形状等は任意のものを採用し得る。
【図面の簡単な説明】
【図１】本発明に係る清掃用具の第１の実施の形態を示す図であり、（ａ）は平面図、（ｂ）は正面図、（ｃ）は左側面図、（ｄ）は右側面図である。
【図２】連結部を示す図で（ａ）は平面図、（ｂ）は正面図、（ｃ）は（ａ）のｃ−ｃ断面図である。
【図３】ストッパを示す図で、（ａ）は平面図、（ｂ）は正面図、（ｃ）は左側面図である。
【図４】（ａ）（ｂ）は作用説明図。
【図５】本発明に係る清掃用具の第２の実施の形態を示す図で、（ａ）は平面図、（ｂ）は正面図、（ｃ）は要部の拡大斜視図である。
【図６】本発明に係る清掃用具の第３の実施の形態を示す図で、（ａ）は平面図、（ｂ）は正面図、（ｃ）はストッパの側面図である。
【図７】従来技術の説明図。
【符号の説明】
１            基部
２            清掃用部材
３ａ，３ｂ    支持部
４            連結部
５            把持部
Ｒ            連結箇所直近
【図１】
0004218777.tif 000002
【図２】
0004218777.tif 000003
【図３】
0004218777.tif 000004
【図４】
0004218777.tif 000005
【図５】
0004218777.tif 000006
【図６】
0004218777.tif 000007
【図７】
0004218777.tif 000008